(57)【特許請求の範囲】
【請求項１】
被写体照明用の発光手段と、
撮影前の予備発光を制御する予備発光制御手段と、
前記予備発光において被写体からの反射光量を測光して測光結果を得る測光手段と、
撮影時の本発光を制御する本発光制御手段と、
を有する撮像装置であって、
前記本発光制御手段は、
前記測光結果を用いて発光光量を調節して発光を行う第１の発光制御と、
被写体からの反射光量が所定量になるまで発光を行うように制御する第２の発光制御とを含み、
前記測光結果に応じて、前記第１または第２の発光制御のいずれかによる発光制御を行い、
前記測光手段により測光した反射光量が所定の第１のしきい値以上である場合に前記第１の発光制御を行う
ことを特徴とする撮像装置。
【請求項２】
前記本発光制御手段は、前記測光手段により測光した反射光量が前記所定の第１のしきい値よりも小さい場合に前記第２の発光制御を選択することを特徴とする請求項１に記載の撮像装置。
【請求項３】
前記予備発光制御手段は、所定の固定距離である第１の距離に応じた発光量にて発光を行うことを特徴とする請求項１又は２に記載の撮像装置。
【請求項４】
前記本発光制御手段は、さらに、所定の固定距離である第２の距離に応じた発光量にて発光を行う第３の発光制御を含み、前記測光手段により測光した反射光量が所定の第２のしきい値よりも大きい場合に前記第３の発光制御を選択することを特徴とする請求項１から３のいずれか１項に記載の撮像装置。
【請求項５】
前記第２の距離は前記第１の距離よりも短い距離であることを特徴とする請求項４に記載の撮像装置。
【請求項６】
前記撮像装置は被写体との距離を測距する測距手段を有し、前記予備発光制御手段は前記測距手段による測距が不能である場合に前記第１の距離に応じた発光を行うことを特徴とする請求項３に記載の撮像装置。
【請求項７】
前記撮像装置は被写体との距離を測距する測距手段を有し、前記予備発光制御手段は前記測距手段により計測された被写体距離が所定のしきい値よりも大きい場合に前記第１の距離に応じた発光を行うことを特徴とする請求項３に記載の撮像装置。
【発明の詳細な説明】
【技術分野】
【０００１】
本発明は、デジタルカメラなどの撮像装置に関し、詳細には、予備発光結果に基づいて、複数の発光方式のうち最適な発光方式を選択して撮影を行う撮像装置に関する。
【背景技術】
【０００２】
デジタルカメラなどの撮像装置では、被写体が暗い場合にはストロボなどの照明装置を用いて撮影を行っているが、発光制御方式としては大きく分類して次の２つの方式がある。
【０００３】
第１の方式は、主にデジタルカメラで採用されている方式であって、撮影前にストロボを予備発光させて、被写体からの光量を撮像素子で測光してストロボの適正発光量を設定する方式である。この方式による発光制御では、撮影前に予備発光を行って被写体からの反射光量を撮像素子で測光し、測光により得られた被写体の輝度に基づいて適正なストロボの本発光量を算出する。この際、被写体までの距離の２乗に反比例して発光量が減衰することを利用して、被写体までの距離を測距手段で測ることにより被写体への発光量を算出して、予備発光および本発光における基準発光量とするのが一般的である。すなわち、予備発光においては被写体距離から算出された基準発光量で発光を行い、本発光では基準発光量に対して測光結果を反映した発光量の微調整を行う。
【０００４】
しかしながら、この方式による発光制御では被写体までの測距誤差がそのまま基準発光量の誤差となって現れてくる。焦点合わせという点では遠距離ほど被写界深度が深くなる分だけ測距精度を落としても実用上問題ないが、上述の理由（被写体までの距離の２乗に反比例して発光量が減衰する）により露出制御の観点からは許されない。測距誤差がある程度の範囲内であれば予備発光での測光の結果から本発光の発光量の補正が可能であるが、測距結果が大きく異なった場合は測光結果による補正ができないという事態が生じる。
【０００５】
第２の方式は、主に写真用フィルムを用いて撮影を行う銀塩カメラで採用されている方式であって、カメラ前面に設けた測光素子を用いて、被写体からの反射光を測光し、所定の光量が得られるまで発光を続ける方式である。この方式では、撮影中のストロボ光を測光するので、予備測光が不要な上に測光に時間が掛からないという利点がある。
しかしながら、特に近距離のような場合には、パララックスの問題により、正確な測光ができない可能性がある。
【０００６】
このように第１および第２の発光制御方式は、それぞれ長所、短所を持ち合わせているので、被写体までの距離によって２つの制御方式を切り替えて発光制御を行う従来装置がある（特許文献１）。
この従来装置は、測距手段で測定した被写体までの距離が、測距精度を基に定めた限界距離よりも近距離と判断したときには、被写体までの被写体距離を基に絞りやシャッタスピードを変える発光制御を行い、逆に被写体までの距離が限界距離よりも遠距離と判断したときには、被写体からの反射光の光量を基にした調光による発光制御を行う従来装置である。
【０００７】
また、特許文献２に開示される従来装置は、測光結果によって撮影時の発光光量を決定するストロボ撮影装置において、予備発光の測光時に前記測距手段出力に応じて前記増幅率制御手段を制御し、撮像信号の増幅率（受光感度）を可変に設定する従来装置である。
【特許文献１】特許第２５２７７３４号公報
【特許文献２】特開２００６−５３４９３号公報
【発明の開示】
【発明が解決しようとする課題】
【０００８】
しかしながら、特許文献１にあるような発光制御方法は測距が正しく行われていることが前提であり、例えば、低輝度などの原因により測距ができなかった場合は、最適な発光制御を行うことができないという問題があった。
また、一般にＣＣＤＡＦ（Charge Coupled Device Auto Focus）という合焦制御方法を利用した測距を行う場合は、フォーカスレンズの合焦位置からおおよその被写体距離を算出するため、フォーカスレンズの駆動ステップ以上の測距精度を得ることができず、特に遠側においては十分な測距精度を得ることができない。ここで、ＣＣＤＡＦ測距において十分な精度が得られる限界距離は、必ずしも２つの発光制御方式を切り替える際の切り替え距離として使用できるとは限らない。例えば、ＣＣＤＡＦの測距限界距離付近において上述の第２の方式で発光制御を行う場合にはパララックスの問題により正確な測光が行えないといった問題が存在する。
【０００９】
本発明は、以上の問題に臨み、正しい測距結果が得られない場合でも最適な発光制御を行うことが可能な撮像装置を提供することを目的とする。
【課題を解決するための手段】
【００１０】
上記目的を達成するために、本発明は、被写体照明用の発光手段と、撮影前の予備発光を制御する予備発光制御手段と、前記予備発光において被写体からの反射光量を測光して測光結果を得る測光手段と、撮影時の本発光を制御する本発光制御手段と、を有する撮像装置であって、前記本発光制御手段は、前記測光結果を用いて発光光量を調節して発光を行う第１の発光制御と、被写体からの反射光量が所定量になるまで発光を行うように制御する第２の発光制御とを含み、前記測光結果に応じて、前記第１または第２の発光制御のいずれかによる発光制御を行い、前記測光手段により測光した反射光量が所定の第１のしきい値以上である場合に前記第１の発光制御を行うことを特徴とする撮像装置を提供する。
【発明の効果】
【００１８】
本発明によれば、予備発光結果に基づいて、複数の発光方式のうち最適な発光方式を選択して撮影を行うため、被写体距離が不明な場合、あるいは測距の性能限界から測距結果の信頼性が低い場合であっても最適な発光制御を行うことができる。
【発明を実施するための最良の形態】
【００１９】
以下、図面を参照しながら、本発明を実施するための最良の形態について詳しく説明する。
本実施例では、上記記載の発光手段が図１に示したストロボ１２、より詳細には図４に示した発光部４３に相当し、予備発光制御手段および本発光制御手段が図１に示したＣＰＵ１４に相当し、測光手段が図４に示した測光部４４に相当する。また、測距手段は、図１の測距部５に相当する。
【００２０】
図１は、本実施形態の撮像装置の機能ブロック図であって、１は鏡胴ユニット、２は画像入力部、３は音声入力部、４は操作部材、５は測距部、６はＲＯＭ、７は記憶部、８はメインメモリ、９はモニタ、１０は外部Ｉ／Ｏ、１１は音声出力部、１２はストロボ、１３は表示部、１４はＣＰＵである。
【００２１】
図２は図１の鏡胴ユニット１および画像入力部２をさらに詳細に示した図である。
鏡胴ユニット１は、被写体の光学画像をＣＣＤに取り込むレンズ２１（ズーム、フォーカス）、メカシャッタ２２、絞り２３、およびモータドライバ２４を具備する。モータドライバ２４は、レンズ２１、メカシャッタ２２、および絞り２３を動かすための各モータ（図示せず）を駆動する機能を持つ。
【００２２】
画像入力部２はＣＣＤ２５と、取り込んだ光学画像を処理する画像処理部２６（増幅率制御手段）とを具備する。ＣＣＤ２５は、光学画像を光電変換するための固体撮像素子である。画像処理部２６は、画像ノイズ除去用相関二重サンプリング回路、増幅回路、ホワイトバランス調整回路、およびデジタル信号変換回路を有し、増幅率を変化させることによって、全体の明るさを増減させる機能などを持つ。
また、モータドライバ２４および画像処理部２６はＣＰＵ１４からの駆動指令により処理あるいは駆動制御される。
【００２３】
図１の説明に戻る。音声入力部３は、ユーザが音声信号を入力するマイク、入力された音声信号を増幅するマイクＡＭＰ、増幅された音声信号を記録する音声記録回路からなり、操作部材４は、ユーザが操作するキー回路であり、また、測距部５は被写体までの距離を測定する装置である。
【００２４】
ＲＯＭ６には、ＣＰＵ１４にて解読可能なコードで記述された、制御プログラムや制御するためのパラメータが格納されている。この撮像装置の電源がＯＮ状態になると、ＲＯＭ６に記憶されたプログラムは、メインメモリ８にロードされ、ＣＰＵ１４はそのプログラムに従って装置各部の動作を制御するとともに、制御に必要なデータなどを、一時的にメインメモリ８に保存する。また、ＲＯＭ６として書き換え可能なフラッシュＲＯＭを使用することで、制御プログラムや制御するためのパラメータを変更することが可能となり、機能のバージョンアップを容易に行うことができる。
【００２５】
記憶部７は、メモリカードスロットルにメモリカードが装着されていない場合でも、撮影した画像データを記憶できるようにするためのメモリである。
メインメモリ８は、ＣＰＵ１４が制御に必要なデータを一時的に格納しておく場所である。また、ＣＰＵ１４で画像データに各種処理を施す際に、画像データを一時的に保存するものでもあり、保存される画像データは、例えば、ＣＣＤ２５から、画像処理を経由して取り込んで、ホワイトバランス設定、ガンマ設定が行われた状態の「ＲＡＷ−ＲＧＢ画像データ」や輝度データ・色差データ変換が行われた状態の「ＹＵＶ画像データ」、ＪＰＥＧ圧縮された「ＪＰＥＧ画像データ」などである。
【００２６】
モニタ９は、撮影前の被写体の状態や撮影した画像を確認する、およびメモリカードや記憶部７などの内蔵メモリに記録した画像データを表示する、などを行うためのモニタである。
外部Ｉ／Ｏ１０は、パソコンなどの外部機器とシリアル通信を行うために、シリアルブロックの出力信号を電圧変換するための回路などである。
音声出力部１１は記録された音声信号をスピーカーから出力できる信号に変換する音声再生回路、変換された音声信号を増幅し、スピーカーを駆動するためのオーディオＡＭＰ、音声信号を出力するスピーカーからなる。
【００２７】
ストロボ１２は、被写体に閃光を発光するためのものであり、表示部１３はダイオードなどで撮像装置の状態を示すもので、例えば、電源投入ランプなどがこれにあたる。
【００２８】
ＣＰＵ１４は、ＣＣＤ２５より画像処理の出力データにホワイトバランス設定やガンマ設定を行い、フィルタリング処理により、輝度データ・色差データへの変換を行う制御ブロック、装置各部の動作を制御するブロック、パソコンなどの外部機器とＵＳＢ通信を行うＵＳＢブロック、パソコンなどの外部機器とシリアル通信を行うシリアルブロック、ＪＰＥＧ圧縮・伸張を行うブロック、画像データのサイズを補間処理により拡大・縮小するブロック、画像データを液晶モニタやＴＶなどの外部表示機器に表示するためのビデオ信号に変換するＴＶ信号表示ブロック、撮影された画像データを記録するメモリカードの制御を行うメモリカードブロックを有する。
【００２９】
図３は、画像入力部２であるＣＣＤ２５と画像処理部２６をさらに詳細に示したブロック図である。画像処理部２６はフロントエンド処理部ＩＣ（Ｆ／Ｅ−ＩＣ）からなる。この画像処理部２６で画像信号の増幅率の設定を行う。
【００３０】
ＣＣＤ２５は、光学画像を光電変換するための固体撮像素子であり、画像処理部２６は、ＣＣＤ２５から入力するアナログの撮影データの画像ノイズ除去用相関二重サンプリングを行うＣＤＳ２６ａ、撮影データの振幅変動を検出し、出力信号を一定に保つように増幅器の利得を自動的に調整するＡＧＣ２６ｂ、アナログ信号をデジタル信号へ変換するＡ／Ｄ２６ｃ、垂直同期信号ＶＤ、水平同期信号ＨＤに基づきＣＣＤ２５および画像処理部２６の駆動タイミング信号を発生するＴＧ２６ｄを有する。
【００３１】
図４は、ストロボの回路ブロック図であり、４０は充電部、４１は発光制御部、４２はトリガ部、４３は発光部、４４は測光部である。
【００３２】
充電部４０は昇圧、電荷蓄積、蓄積電圧のフィードバック回路を含み、電源電圧を昇圧し、コンデンサーに電荷を蓄え、蓄積電圧をＣＰＵ１４に戻し、ＣＰＵ１４の充電制御信号によって充電電圧を制御している。
【００３３】
発光制御部４１は、ＣＰＵ１４から供給される発光制御信号のＬｏｗ→Ｈｉｇｈの変化によりトリガ部４２に信号を出力する。そして該トリガ部４２はトリガ信号を充電部４０に供給し、充電部４０内のコンデンサーの電荷が発光部４３に放電されて、発光部４３での発光が始まる。発光はＣＰＵ１４より供給される発光制御信号のＨｉｇｈ→Ｌｏｗの変化で停止し、発光制御信号がＨｉｇｈとなっている時間幅で発光光量が制御される。なお、通常、発光制御部４１には発光制御用素子として絶縁ゲートバイポーラトランジスタ（ＩＧＢＴ：Insulated Gate Bipolar Transistor）およびサイリスタなどが用いられる。また、撮影に必要な発光光量、すなわち、発光制御信号のＨｉｇｈとなっている時間幅は、被写体までの距離、絞り、画像増幅率によって求められ、ＲＯＭ６などのメモリにあらかじめテーブルとして記憶されている。なお、充電電圧の制御は、図示を省略するが、例えば、充電部４０内のコンデンサーの充電電圧を分圧し、Ａ／Ｄ変換した後、ＣＰＵ１４で監視すればよい。
【００３４】
なお、本実施形態において、予備発光光量は、補正前のストロボ発光光量Ｇが発光制御部４１に読み込まれ、ＣＰＵ１４から出力される発光制御信号により発光制御部４１が制御されて、可変される。
【００３５】
測光部４４は被写体からの反射光の光量を測光する測光回路である。本発明における第２の方式による発光制御を行う場合は、測光部４４への電源供給をＯＮにし、被写体からの反射光量を電流値に変換して、測光部４４内の積分回路（図示せず）に積算していく。そして、所定の反射光量が得られた場合は発光を停止するような調光しきい値をあらかじめ測光部４４へ設定しておく。なお、本発光制御方式においては、ＣＰＵ１４は発光制御部４１に対して十分に長い発光時間を供給するものとし、実際の発光停止処理は測光部４４が、発光部４３に発光停止信号を送って、行う。
【００３６】
次に、本発明における第１の発光制御方式について説明する。ここでは、上記のようなストロボ１２を用いて予備発光を行い、その際、ＣＣＤ２５より受光した測光結果から基準測光量（１８％の標準反射率の反射光量）に対する差（予備発光の測光値の適正測光量からの差ΔＥＶ）を把握し、更にあらかじめ設定されている係数：Ｋを基準測光量に対する差に加味し、撮影時のストロボ発光光量として補正を行い、ストロボ撮影を行えば、被写体の反射率の差に対する、適正ストロボ発光光量を得ることができる。
【００３７】
まず、補正前のストロボ発光光量：Ｇは、被写体距離：Ｌ、絞り：Ｆ、撮影増幅率：Ａにより求まる。
また一方、補正後の撮影光量Ｇｘは、上記予備発光により得た基準測光量に対する差ΔＥＶおよび係数Ｋによる補正値をΔＥＶ＊Ｋとすると下記（１）式により求まる。
Ｇｘ＝Ｇ＊ｓｑｒ（２）＾（ΔＥＶ＊Ｋ）・・・（１）
【００３８】
なお、係数ＫはΔＥＶの値によって変化する係数とし、ＲＯＭ６などのメモリにあらかじめテーブルとして記憶しておくことにより反射率の状態に対応して補正量を変えることができる。
【００３９】
図５は、本実施形態の撮像装置における予備発光を用いた光量補正のフローを示す図である。
まず、ストロボ撮影を開始すると、ＣＰＵ１４は、撮影増幅率、絞り、輝度、自動ホワイトバランス（ＡＷＢ）などの撮影情報を読み込み（ステップＳ１００）、撮影開始を待つ（ステップＳ１０１）。
【００４０】
撮影が開始されると（ステップＳ１０１のＹｅｓ）、ＣＰＵ１４は、測距部５により被写体までの距離の測距を行い（ステップＳ１０２）、正常に測距ができたかどうかの判定を行う（ステップＳ１０３）。
測距が正常に行われた場合（ステップＳ１０３のＹｅｓ）、ＣＰＵ１４は、被写体までの距離Ｌを取得する（ステップＳ１０４）。
【００４１】
本実施例の撮像装置は、この被写体距離Ｌにより予備発光量を決定する。ここでは、ＣＰＵ１４は、被写体距離Ｌがあらかじめ設定されている距離Ｌ＿Ｍａｘよりも大きいかどうかの判定を行う（ステップＳ１０５）。
【００４２】
被写体距離ＬがＬ＿Ｍａｘよりも大きい場合（ステップＳ１０５のＹｅｓ）、すなわち、遠距離の被写体であった場合は、ＣＰＵ１４は、十分な精度の測距が行われなかったと判断して、固定距離Ｌ＿Ｆｉｘ１（これは請求項に記載の「第１の距離」に相当する）に基づいた予備発光量を算出する（ステップＳ１０６）。例えば、ＣＣＤＡＦなどの合焦制御方式を利用した測距を行う場合は、フォーカスレンズの合焦位置からおおよその被写体距離を算出するため、フォーカスレンズの駆動ステップ以上の測距精度を得ることができず、特に遠側においては十分な測距精度を得ることができない。従って、本実施例では測距結果である被写体距離ＬがＣＣＤＡＦにおいて十分な測距精度が得られる限界距離（Ｌ＿Ｍａｘ）よりも大きい、すなわち遠側であった場合は、所定の固定距離Ｌ＿Ｆｉｘ１を用いて予備発光量の算出を行う。
【００４３】
一方ステップＳ１０５において、被写体距離ＬがＬ＿Ｍａｘよりも小さい場合（ステップＳ１０５のＮｏ）、すなわち、近距離の被写体であった場合は、ＣＰＵ１４は、十分な精度の測距が行われたと判断して、被写体距離Ｌに基づいた予備発光量を算出する（ステップＳ１０７）。
【００４４】
また、ステップＳ１０３において、測距が正常に行われなかった場合（ステップＳ１０３のＮｏ）、ＣＰＵ１４はステップＳ１０４およびステップＳ１０５をスキップして固定距離Ｌ＿Ｆｉｘ１に基づいた予備発光量を算出する（ステップＳ１０６）。例えば被写体が極端に暗い場合などは、測距部５による測距を行うことができず被写体距離Ｌが不明となるが、このような場合はあらかじめ設定されている固定距離Ｌ＿Ｆｉｘ１相当の発光量にて予備発光を行う。
【００４５】
そして、ＣＰＵ１４は、算出された発光量にて予備発光を行う（ステップＳ１０８）。なお、ステップＳ１０８において予備発光制御では測光部４４の機能は使用しないため測光部４４へ供給される電源はＯＦＦにされている。
【００４６】
次に、ＣＰＵ１４は、予備発光における被写体からの反射光量の測光を行う（ステップＳ１０９）。
ここでは、ＣＣＤ２５を介して受信したアナログの画像信号をＡ／Ｄ２６ｃによりデジタル信号へ変換して被写体輝度Ｙを抽出し、適正露光に対するずれ量ΔＥＶを算出する（ステップＳ１１０）。すなわち、ΔＥＶは適正露光量を基準として、被写体輝度Ｙが適正輝度よりも明るかった場合は正の値、適正輝度よりも暗かった場合は負の値を取るものである。
【００４７】
次に、ＣＰＵ１４は、適正露光に対するずれ量ΔＥＶが補正可能な範囲内にあるかどうかの判定を行う。ここでは、まず、適正露光に対するずれ量ΔＥＶが所定のしきい値ΔＥＶ＿Ｍｉｎ（請求項に記載の「第１のしきい値」に相当）よりも小さいかどうかの判定を行う（ステップＳ１１１）。
適正露光に対するずれ量ΔＥＶがΔＥＶ＿Ｍｉｎ以上の場合は（ステップＳ１１１のＮｏ）、次に、適正露光に対するずれ量ΔＥＶが所定のしきい値ΔＥＶ＿Ｍａｘ（請求項に記載の「第２のしきい値」に相当）よりも大きいかどうかの判定を行う（ステップＳ１１２）。
適正露光に対するずれ量ΔＥＶがΔＥＶ＿Ｍａｘ以下の場合は（ステップＳ１１２のＮｏ）、ＣＰＵ１４は補正可能な範囲内にあると判断して、適正露光に対するずれ量ΔＥＶに基づいて本発光量の補正を行う（ステップＳ１１３）。
【００４８】
一方、ステップＳ１１２において、適正露光に対するずれ量ΔＥＶがΔＥＶ＿Ｍａｘよりも大きい場合は（ステップＳ１１２のＹｅｓ）、ＣＰＵ１４は、所定の固定距離Ｌ＿Ｆｉｘ２（請求項記載の「第２の距離」に相当）に基づいた発光量を算出して、これを本発光量とする（ステップＳ１１４）。ここでは、被写体距離が予備発光の発光量計算に用いた距離（固定距離Ｌ＿Ｆｉｘ１または被写体距離Ｌ）よりも近距離にあるという判断により、Ｌ＿Ｆｉｘ２は固定距離Ｌ＿Ｆｉｘ１または測距結果Ｌよりも小さい値を使用する。
【００４９】
そして、ＣＰＵ１４は、ステップＳ１１３またはステップＳ１１４にて算出された発光量にて本発光を行うよう発光制御モードを設定して（ステップＳ１１５）、指定光量による本発光（ストロボ撮影）動作を行う（ステップＳ１１８）。なお、ステップＳ１１８における本発光制御では測光部４４の機能は使用しないため測光部４４へ供給される電源はＯＦＦされている。
【００５０】
一方、ステップＳ１１１において、適正露光に対するずれ量ΔＥＶがΔＥＶ＿Ｍｉｎよりも小さい場合は（ステップＳ１１１のＹｅｓ）、設定されている撮影増幅率、絞りなどから適正な反射光量を得るための調光しきい値を算出して（ステップＳ１１６）、反射光測光方式にて本発光を行うよう発光制御モードを設定し（ステップＳ１１７）、反射光測光方式による本発光（ストロボ撮影）動作を行う（ステップＳ１１９）。
【００５１】
すなわち、ステップＳ１１９における発光制御は、被写体からの反射光を測光部４４にて測光し、所定の光量が得られるまで発光を続ける方式であり、ステップＳ１１７では、測光部４４へ供給電源をＯＮにし、調光しきい値の設定を行う。
【００５２】
上記実施形態によれば、測光手段により測光した反射光量が所定のしきい値以上である場合は、被写体は近側にあると予測されるため、被写体距離に基づいてあらかじめ発光量を算出する発光制御を行うことで、近距離に適した発光制御を行うことができる。
【００５３】
また、上記実施形態によれば、測光手段により測光した反射光量が所定のしきい値よりも小さい場合は、被写体は遠側にあると予測されるため、被写体からの反射光を測光し所定の光量が得られるまで発光を続ける発光制御を行うことで、遠距離に適した発光制御を行うことができる。
【００５４】
また、上記実施形態によれば、測距が成功しなかった場合でも、所定の固定距離（これを第１の距離とする。）に基づいた発光量で予備発光を行うため、低輝度などの原因により被写体距離が不明の場合も対応が可能となる。
【００５５】
また、上記実施形態によれば、測光手段により測光した反射光量が補正可能な範囲を超えて大きい場合は、被写体は予備発光に用いた距離よりもさらに近側にあると予測されるため、所定の固定距離（これを第２の距離とする。ただし第２の距離は第１の距離よりも短い。）に相当する発光を行うことで、最至近にある被写体にも対応することが可能になる。
【００５６】
また、上記実施形態によれば、被写体距離が不明の場合も所定の固定距離である第１の距離に基づいた発光量で予備発光を行うため、低輝度などの撮影環境にも対応が可能になる。
【００５７】
また、上記実施形態によれば、被写体距離が所定のしきい値よりも大きい場合に、所定の固定距離である第１の距離に基づいた発光量で予備発光を行うため、遠側の測距性能が十分でない測距手段（例えばＣＣＤＡＦ）を用いる場合も、対応が可能となる。
【産業上の利用可能性】
【００５８】
ストロボ撮像装置を例に説明したが、予備発光による測光を行う撮像装置であり、複数の発光制御方式を有する撮像装置全般に適用可能である。
【図面の簡単な説明】
【００５９】
【図１】本実施形態の撮像装置の機能ブロック図である。
【図２】図１の撮像装置の鏡胴ユニットをさらに詳細に示したブロック図である。
【図３】画像入力部２であるＣＣＤ２５と画像処理部２６をさらに詳細に示したブロック図である。
【図４】図１の撮像装置のストロボの回路ブロック図である。
【図５】図１の撮像装置における予備発光を用いた光量補正のフローを示すフローチャート図である。
【符号の説明】
【００６０】
１    鏡胴ユニット
２    画像入力部
３    音声入力部
４    操作部材
５    測距部
６    ＲＯＭ
７    記憶部
８    メインメモリ
９    モニタ
１０    外部Ｉ／Ｏ
１１    音声出力部
１２    ストロボ
１３    表示部
１４    ＣＰＵ
２１    レンズ（フォーカス、ズーム）
２２    メカシャッタ
２３    絞り
２４    モータドライバ
２５    ＣＣＤ
２６    画像処理部
２６ａ    ＣＤＳ
２６ｂ    ＡＧＣ
２６ｃ    Ａ／Ｄ
２６ｄ    ＴＧ
４０    充電部
４１    発光制御部
４２    トリガ部
４３    発光部
４４    測光部
【図１】
0004834465.tif 000002
【図２】
0004834465.tif 000003
【図３】
0004834465.tif 000004
【図４】
0004834465.tif 000005
【図５】
0004834465.tif 000006